(57)【要約】      （修正有）【課題】腰痛の方、特に高齢者が一般人向けに市販されているズボンおよびパンツなどの下着を椅子などに腰掛けたまま安全で容易に着脱できる自助具を提供する。【解決手段】板１の端に半円筒状の膨らみ２を持たせたものを用いる。これを椅子、あるいはベッドの上に置き、腰掛けると、太股は半円筒の上に、尻は板の上に乗った状態り、太股と尻の間の若干区間（無接地部）が常に浮いた状態を呈する。ズボンは尻と無接地部の間で移動ができる。姿勢を後傾させると太股が浮き、体重は尻で支えられ、ズボンは無接地部と膝の間で移動が可能となる。姿勢を前傾させた後、後傾させると、ズボンを尻から足先の方へ移動させることができる。その逆の動作をすると、ズボンを足先の方から尻の方へ移動させることができる。さらに、布に付着する素材を棒の端に取り付けた遠隔操作具を併用することにより、膝からつま先までの区間でも、ズボンを移動させることができる。【選択図】図５
2008307345.tif 000002
【特許請求の範囲】
【請求項１】
板の端に半円筒状の膨らみを持たせた構造から成る、ズボンおよび下着着脱自助具。
【請求項２】
布に付着する素材を棒の端に取り付けた遠隔操作具。
【請求項３】
板の端に半円筒状の膨らみを持たせた構造から成るものと、布に付着する素材を棒の端に取り付けた遠隔操作具との両者から成るズボンおよび下着着脱自助具。
【発明の詳細な説明】
【技術分野】
【０００１】  本発明は、ズボンおよびパンツなどの下着を腰掛けたまま着脱できる自助具に関する。
【背景技術】
【０００２】  腰痛の方にとって、ズボンおよびパンツなどの下着を着脱することは大変な苦労を伴う。特に高齢者である場合には、不安定な姿勢で行うことになるので、転倒の危険も伴う。ズボンおよびパンツなどの下着を着脱する自助具はこれまで皆無と言って良く、もっぱらズボンおよびパンツなどの下着そのものに着脱が容易となる工夫がなされて来た（たとえば、特許庁ホームページ公開公報）。しかし、そのような衣服は種類が限られ、値段も高く、着脱が容易とは言えないものも多い。
【発明の開示】
【発明が解決しようとする課題】
【０００３】  腰痛の方、特に高齢者が一般人向けに市販されているズボンおよびパンツなどの下着を椅子などに腰掛けたまま安全に着脱できる自助具が要望されていた。
【課題を解決するための手段】
【０００４】  板の端に半円筒状の膨らみを持たせたものを用いる。これを椅子、あるいはベッドの上に置き腰掛けると、太股は半円筒の上に、お尻は板の上に乗った状態になる。このため、太股とお尻の間の若干区間（以下、ここを無接地部と称する）が常に浮いた状態を呈する。【０００５】  腰掛けたまま、姿勢を前傾させるとお尻が浮き、体重は太股に支えられるため、ズボン（以下、パンツなどの下着を省略）はお尻と無接地部の間で移動が可能となる。一方、姿勢を後傾させると太股が浮き、体重はお尻で支えられるため、ズボンは無接地部と膝の間で移動が可能となる。【０００６】  よって、姿勢を前傾させた後、後傾させると、ズボンをお尻から足先の方へ移動させる（脱ぐ）ことが可能となる。その逆の動作を行うと、ズボンを足先の方からお尻の方へ移動させる（履く）ことが可能となる。【０００７】  さらに、布に付着する素材を棒の端に取り付けた遠隔操作具を併用することにより、手の届き難い膝からつま先までの区間でも、ズボンを容易に移動させることができる。
【発明の効果】
【０００８】  板の端に半円筒状の膨らみを持たせたものを用いることにより、椅子などに腰掛けたまま安全にズボンの着脱ができる。さらに、布に付着する素材を棒の端に取り付けた遠隔操作具を併用することにより、手の届き難い膝からつま先までの区間でも、ズボンを容易に移動させることができる。操作が簡単なので、転倒だけが心配な認知症の方、身体障害の方でも利用が可能である。
【発明を実施するための最良の形態】
【０００９】以下、本発明の実施例について、図面を参照して説明する。【００１０】  図１は、本発明の全体構成を示したものである。図中符号１は板を示す。この板の端に符号２で示す半円筒状の膨らみを持たせた部材が取り付けられている。符号３は棒であり、片端に布が付着する素材が取り付けられている。布に付着する素材としては、マジックテープの凸型が該当材のひとつである。一方、他端には切り込みが入れられ、ズボンを単に引っ掛ける構造になっている。【００１１】  図２は、椅子（符号６）の上に本発明具を置き、それに腰掛けた状態を示すものである。この時、体重は太股とお尻で支えられ、両支点の間に無接地部が存在する。踵（符号７）は若干浮いた状態になるように、本発明具を置く高さを調整しておくと利用の便が良い。【００１２】  図３は、踵を下げ、上体を前傾させてお尻を浮かせた状態を示している。ズボンを脱ぐため、ズボンのベルト位置を手で掴んでいる。【００１３】  図４は、お尻が浮いた状態なので、ズボンを無接地部まで下ろせることを示している。【００１４】  図５は、上体を後傾させ太股を上げると太股が浮いた状態になり、ズボンが太股を通過することを示している。【００１５】    図６は、遠隔操作具を用いてズボンを足先から外す状態を示している。棒の両端の性質が異なっているので、その性質を適宜活用すれば良い。【００１６】    図７は、ズボンが脱ぎ終わった状態を示している。【００１７】    一方、図８および図９は、ズボンを履く場合を示している。図８は、遠隔操作具でズボンを引っ掛け、つま先をズボンの中に入れた状態が示されている。さらに図９は、両足先がズボンの中に入った状態を示している。この後、前述したズボンを脱ぐ動作の逆を行えば、ズボンを履くことができる。【００１８】    以上のように、本発明具を用いれば、椅子などに腰掛けたままズボンの着脱が安全で容易にできる。本発明具の利用場所は、通常腰掛けるところであれば何処でも良く、ベッド、車椅子、ベンチなどが挙げられる。洋式便器の便座なども、本発明の構造に近いものにすれば、そのまま利用できるものとなる。
【図面の簡単な説明】
【００１９】
【図１】本発明の全体構成図。
【図２】本発明具の上に普通に腰掛けた状態を示す図。
【図３】上体を前傾させるとお尻が浮いた状態になることを示す図。
【図４】お尻が浮いた状態なので、ズボンが無接地部まで下ろせることを示す図。
【図５】上体を後傾させると太股が浮いた状態になり、ズボンが太股を通過することを示す図。
【図６】遠隔操作具を用いてズボンを足先から外す状態を示す図。
【図７】ズボンを脱ぎ終わった状態を示す図。
【図８】遠隔操作具でズボンを引っ掛け、つま先をズボンの中に入れた状態を示す図。
【図９】遠隔操作具でズボンを引っ掛け、両足先をズボンの中に入れた状態を示す図。
【符号の説明】
【００２０】１  板
２  半円筒状の膨らみ
３  棒
４  布に付着する素材
５  切り込み
６  椅子
７  踵
【図１】
2008307345.tif 000003
【図２】
2008307345.tif 000004
【図３】
2008307345.tif 000005
【図４】
2008307345.tif 000006
【図５】
2008307345.tif 000007
【図６】
2008307345.tif 000008
【図７】
2008307345.tif 000009
【図８】
2008307345.tif 000010
【図９】
2008307345.tif 000011